(57)【要約】【課題】無線基地局１が自局のサービスエリア内の複数の加入者収容局３に対して、故障通知や性能確認のためのＯＡＭセルを使用する場合など、内容が同じでもコネクション毎に個別に無線帯域を確保して伝送していたため、加入者数が多くなってくると、無線回線使用効率が低下するという問題があった。【解決手段】この発明に係る無線基地局１は、ＯＡＭセル等の加入者収容局３にとって共通情報であるマルチキャスト用識別情報付きのデータを加入者収容局３ａ，３ｂ，３ｃへ送信する（マルチキャストする）ことで、無線基地局１のサービスエリア内の加入者収容局３が増えても、下り占有スロットは従来の１台分だけで済むため、無線回線の使用効率を大幅に改善できる。【選択図】　　　　図１
2004015609.tif 000002
【特許請求の範囲】
【請求項１】
ディジタル回線を介してデータを受信し、データ通信対象である複数の収容局のいずれに対しても送信されるデータであることを識別するマルチキャスト用識別情報を、受信したデータに付加して出力する受信部と、
上記受信部が出力したマルチキャスト用識別情報付きのデータを送信する送信部とを備えることを特徴とする基地局。
【請求項２】
上記基地局は、さらに、
上記送信部を複数備え、さらに、
上記受信部が出力したマルチキャスト用識別情報付きのデータを複数のデータに分割して、分割した複数のデータの各データを上記複数の送信部の少なくともいずれかの送信部へ出力するコピー制御部を備え、
上記複数の送信部の各送信部は、上記コピー制御部によって出力された複数のデータの各データを各々送信することを特徴とする請求項１に記載された基地局。
【請求項３】
上記送信部は、無線空間へマルチキャスト用識別情報付きのデータを送信することを特徴とする請求項１に記載された基地局。
【請求項４】
上記送信部は、非同期転送モードによりマルチキャスト用識別情報付きのデータを送信することを特徴とする請求項１に記載された基地局。
【請求項５】
上記受信部は、データ通信対象である複数の収容局のいずれかの収容局に送信されるデータであるかを識別する個別識別情報を、受信したデータに付加し、個別識別情報を付加したデータを個別データとして出力し、
上記送信部は、マルチキャスト用識別情報付きのデータを送信するとともに、上記個別データを送信することを特徴とする請求項１に記載された基地局。
【請求項６】
ディジタル回線を介してデータを受信し、データ通信対象である複数の収容局のいずれに対しても送信されるデータであることを識別するマルチキャスト用識別情報を受信したデータに付加し、マルチキャスト用識別情報を付加したデータを出力する受信部と、
上記受信部によって出力されたマルチキャスト用識別情報付きのデータを送信する送信部とを備える基地局と、
上記基地局の送信部が送信したマルチキャスト用識別情報付きのデータを受信する収容局と、を備えたことを特徴とする通信システム。
【請求項７】
ディジタル回線を介してデータを受信し、データ通信対象である複数の収容局のいずれに対しても送信されるデータであることを識別するマルチキャスト用識別情報を受信したデータに付加し、マルチキャスト用識別情報を付加したデータを出力し、
上記出力されたマルチキャスト用識別情報付きのデータを送信することを特徴とする通信方法。
【請求項８】
ディジタル回線を介してデータを受信し、データ通信対象である複数の収容局のいずれに対しても送信されるデータであることを識別するマルチキャスト用識別情報を受信したデータに付加し、マルチキャスト用識別情報を付加したデータを出力する処理と、
上記出力されたマルチキャスト用識別情報付きのデータを送信する処理とをコンピュータに実行させることを特徴とする通信プログラム。
【発明の詳細な説明】
【０００１】
【発明の属する技術分野】
この発明は、ＡＴＭ（ＡＳＹＮＣＨＲＯＮＯＵＳ　ＴＲＡＮＳＦＥＲ　ＭＯＤＥ；非同期転送モード）を用いたシステムにおいて、送信帯域を有効利用するシステムに関するものである。
【０００２】
【従来の技術】
図４は、従来の無線ＡＴＭシステムにおける信号の流れを示す概念図である。
ここで、ＡＴＭとは、セルと呼ばれる固定長のフレームを転送する通信方式をいう。ＡＴＭでは、収容局への転送データがあるときのみセルを送信するので、非同期転送といわれる。
従来の無線ＡＴＭシステムの構成について説明する。
図４において、１は無線基地局であり、基地局の一例を示している。無線基地局１には、綱側回線受信部５と無線送信部６が備えられている。
２はディジタル回線である。
３は加入者収容局であり、収容局の一例を示している。図４では、加入者収容局３の一例として、加入者収容局３ａと加入者収容局３ｂと加入者収容局３ｃが図示されている。
８は加入者収容局用個別ＶＣ（ＶＥＲＴＵＡＬ　ＣＯＮＮＥＣＴＩＯＮ）である。
加入者収容局用個別ＶＣ８は、綱側回線受信部５によって受信されたデータ（図４では、データ１及びデータ２及びデータ３）の個別識別情報を示す。すなわち、無線基地局１は、綱側回線受信部５によって受信されたデータ（図４では、データ１及びデータ２及びデータ３）に、データ通信対象である複数の加入者収容局３のいずれの加入者収容局に送信されるデータであるかを識別する個別識別情報を付加し、個別識別情報を付加したデータを個別データとして複数の加入者収容局３に向けて送信する。このようにして、従来の無線ＡＴＭシステムでは、図４に示すように、ＶＣ１（加入者収容局用個別ＶＣ８）とデータ１、ＶＣ２（加入者収容局用個別ＶＣ８）とデータ２、ＶＣ３（加入者収容局用個別ＶＣ８）とデータ３で示すセルと呼ばれる固定長のフレームを転送する。
【０００３】
次に、ＡＴＭバックボーンからディジタル回線２を介して流れて来たデータを加入者収容局３まで無線ＡＴＭで伝送する無線ＡＴＭシステムの動作を説明する。
データの流れとしては、無線基地局１が網側からディジタル回線２を介して受信したデータを網側回線受信部５で精査し、無線送信部６を経由して順にＴＤＤ（ＴＩＭＥ　ＤＩＶＩＳＩＯＮ　ＤＵＰＬＥＸ）方式で無線区間へデータ１、データ２、データ３と送出する。
加入者収容局３ａ及び加入者収容局３ｂ及び加入者収容局３ｃは、各々、無線区間へ送出された各データ（データ１、データ２、データ３）につけられた加入者収容局用個別ＶＣ８に従ってデータを受信する。すなわち、加入者収容局３ａはデータ１を、加入者収容局３ｂはデータ２を、加入者収容局３ｃはデータ３をそれぞれ受信する。
【０００４】
【発明が解決しようとする課題】
上記従来の無線ＡＴＭシステムでは、無線基地局１が、自局のサービスエリア内に存在する複数の加入者収容局３に対して、故障通知や性能確認のためのＯＡＭ（ＯＰＥＲＡＴＩＯＮ　ＡＮＤ　ＭＡＩＮＴＥＮＡＮＣＥ）セルを使用する場合など、内容が同じでもコネクション毎に個別に無線帯域を確保して伝送していた。このため、加入者数が多くなってくると、無線回線使用効率が低下するという問題があった。
【０００５】
この発明は、ＯＡＭセル等の加入者収容局にとって共通情報を基地局が効率良く伝送できる無線ＡＴＭシステムを構築することを目的する。
【０００６】
【課題を解決するための手段】
この発明に係る基地局は、ディジタル回線を介してデータを受信し、データ通信対象である複数の収容局のいずれに対しても送信されるデータであることを識別するマルチキャスト用識別情報を、受信したデータに付加して出力する受信部と、
上記受信部が出力したマルチキャスト用識別情報付きのデータを送信する送信部とを備えることを特徴とする。
【０００７】
上記基地局は、さらに、
上記送信部を複数備え、さらに、
上記受信部が出力したマルチキャスト用識別情報付きのデータを複数のデータに分割して、分割した複数のデータの各データを上記複数の送信部の少なくともいずれかの送信部へ出力するコピー制御部を備え、
上記複数の送信部の各送信部は、上記コピー制御部によって出力された複数のデータの各データを各々送信することを特徴とする。
【０００８】
上記送信部は、無線空間へマルチキャスト用識別情報付きのデータを送信することを特徴とする。
【０００９】
上記送信部は、非同期転送モードによりマルチキャスト用識別情報付きのデータを送信することを特徴とする。
【００１０】
上記受信部は、データ通信対象である複数の収容局のいずれかの収容局に送信されるデータであるかを識別する個別識別情報を、受信したデータに付加し、個別識別情報を付加したデータを個別データとして出力し、
上記送信部は、マルチキャスト用識別情報付きのデータを送信するとともに、上記個別データを送信することを特徴とする。
【００１１】
この発明に係る通信システムは、ディジタル回線を介してデータを受信し、データ通信対象である複数の収容局のいずれに対しても送信されるデータであることを識別するマルチキャスト用識別情報を受信したデータに付加し、マルチキャスト用識別情報を付加したデータを出力する受信部と、
上記受信部によって出力されたマルチキャスト用識別情報付きのデータを送信する送信部とを備える基地局と、
上記基地局の送信部が送信したマルチキャスト用識別情報付きのデータを受信する収容局と、を備えたことを特徴とする。
【００１２】
この発明に係る通信方法は、ディジタル回線を介してデータを受信し、データ通信対象である複数の収容局のいずれに対しても送信されるデータであることを識別するマルチキャスト用識別情報を受信したデータに付加し、マルチキャスト用識別情報を付加したデータを出力し、
上記出力されたマルチキャスト用識別情報付きのデータを送信することを特徴とする。
【００１３】
この発明に係る通信プログラムは、ディジタル回線を介してデータを受信し、データ通信対象である複数の収容局のいずれに対しても送信されるデータであることを識別するマルチキャスト用識別情報を受信したデータに付加し、マルチキャスト用識別情報を付加したデータを出力する処理と、
上記出力されたマルチキャスト用識別情報付きのデータを送信する処理とをコンピュータに実行させることを特徴とする。
【００１４】
【発明の実施の形態】
実施の形態１．
以下、この発明の実施の形態１について図１を用いて説明する。
図１において、従来の図４と同様の構成には、同一の番号が付けられている。
４は、マルチキャスト用ＶＣである。マルチキャスト用ＶＣ４は、無線区間へ送出されたデータが複数の加入者収容局３へ一括して、複数の加入者収容局３のいずれに対しても送信されるデータであることを識別するマルチキャスト用識別情報の一例である。
図４と異なるところは、図４では、無線基地局１が、データ１、データ２、データ３と各々に固有の加入者収容局用個別ＶＣ８とを送信していたが、図１では、無線基地局１がマルチキャスト用ＶＣとデータ１とを送信している点である。
【００１５】
次に、本実施の形態の無線ＡＴＭシステムにおいて、無線基地局１を用いて、ＡＴＭバックボーンからディジタル回線２を介して流れて来たデータを、加入者収容局３まで伝送する動作の流れについて説明する。
データの流れとしては、無線基地局１が網側からディジタル回線２を介して受信したデータは、網側回線受信部５で精査され、例えば監視系ＯＡＭセル（例えば、ＶＰ−ＡＩＳ：ＶＥＲＴＵＡＬ　ＰＡＳＳ−ＡＬＡＲＭ　ＩＮＤＩＣＡＴＩＯＮ　ＳＩＧＮＡＬ）をマルチキャスト用ＶＣ４に定義されたＶＣのＯＡＭセル（例えば、ＶＣ−ＡＩＳ：ＶＥＲＴＵＡＬ　ＣＯＮＮＥＣＴＩＯＮ−ＡＬＡＲＭＩＮＤＩＣＡＴＩＯＮ　ＳＩＧＮＡＬ）に変換されて無線送信部６へ渡され、無線区間へデータ１としてマルチキャスト送出される。
そのデータを加入者収容局３ａ、加入者収容局３ｂ、加入者収容局３ｃがそれぞれ受信する。すなわち、各加入者収容局３ａ、各加入者収容局３ｂ、各加入者収容局３ｃでは個別のＶＣ以外にマルチキャストＶＣでも受信データを取込む。
【００１６】
以上、ＡＴＭを利用した無線システムにおいて、網側のＯＡＭセルを終端してＯＡＭ応答セルを受信する綱側回線受信部５と、無線の同報性を利用してユーザ側へＯＡＭセルのマルチキャストを送信する無線送信部６と、を具備した無線基地局１について説明した。
【００１７】
このように、本実施の形態の無線ＡＴＭシステムでは、無線基地局１が自局のサービスエリア内の複数の加入者収容局３に対して、故障通知や性能確認のためのＯＡＭセルを使用する場合など、加入者収容局３にとって共通情報を無線の同報性を利用してマルチキャストすることにより、加入者収容局３ａと加入者収容局３ｂと加入者収容局３ｃとに対し別々に無線帯域を確保してデータを伝送する必要が無くなるため、加入者収容局数が多くなっても無線回線の使用効率が低下することなく、サービスを提供できる。
また、ＯＡＭセルをマルチキャストすることで、障害通知の伝達時間が均一化するという効果を奏することができる。
さらに、ＯＡＭセルをマルチキャストすることで、加入者収容局３別にデータを送信する必要が無いため、無線基地局１の内部処理が簡素化される。よって、無線基地局１を小型で安価に構築できるという効果がある。
【００１８】
実施の形態２．
次に、実施の形態２について説明する。
上記発明の実施の形態１では、無線基地局１の無線送信部６が一つの場合について説明した。
本実施の形態に示す無線ＡＴＭシステムでは、図２に示すように、複数の無線送信部６を有する無線基地局１を備える。また、無線ＡＴＭシステムは、複数の無線送信部６の各々へマルチキャストデータをコピーするコピー制御部７を備える。
これらを備えることによって、個別の無線送信部６が、各々、セクタ毎にコピー制御部７によってコピーされたマルチキャストデータを送信する。すなわち、セクタや周波数を各無線送信部６毎に分けて、マルチキャストデータを送信する。
【００１９】
以上、セクタ毎に個別の無線送信部６を有する場合、セクタ毎にマルチキャスト送信データをコピーできる機能を具備した無線基地局１について説明した。
【００２０】
本実施の形態では、上記発明の実施の形態１と同様の効果を奏することが可能となるとともに、個別の無線送信部６が、各々、セクタ毎にコピー制御部７によってコピーされたマルチキャストデータを送信することができる。すなわち、セクタや周波数を各無線送信部６毎に分けて、マルチキャストデータを送信することが可能となる。
【００２１】
実施の形態３．
次に、実施の形態３について説明する。
上記発明の実施の形態１では、ＯＡＭセルをマルチキャスト対象にあげた。
本実施の形態では、加入者収容局３側のアプリケーションプログラムのバージョンアップを遠隔ダウンロードする場合を想定している。
このような場合でも、実施の形態１及び実施の形態２で説明したような方法により、マルチキャスト送信を使用して、下り無線帯域を１台分しか使用せずに全加入者収容局３を同時にバージョンアップすることができる。
【００２２】
本実施の形態では、加入者収容局３側のアプリケーションプログラムのバージョンアップを下り無線帯域を１台分しか使用せずに全加入者収容局３へ同時に遠隔ダウンロードすることが可能となり、保守性が向上する。
【００２３】
なお、上述したすべての実施の形態の無線ＡＴＭシステムにおいて、無線基地局１は、マルチキャスト用ＶＣ４とデータ１とを送信する方法とともに、加入者収容局用個別ＶＣとデータ１、データ２、データ３とを各々送信する方法を混在させて用いることが可能である。
【００２４】
図３は、無線基地局１のコンピュータ基本構成図である。
図３において、プログラムを実行するＣＰＵ（Ｃｅｎｔｒａｌ　Ｐｒｏｃｅｓｓｉｎｇ　Ｕｎｉｔ）４０は、バス３８を介してモニタ４１、キーボード４２、マウス４３、通信ボード４４、磁気ディスク装置４６等と接続されている。
磁気ディスク装置４６には、オペレーティングシステム（ＯＳ）４７、プログラム群４９、ファイル群５０が記憶されている。ただし、プログラム群４９、ファイル群５０が一体となってオブジェクト指向のプログラム群４９を形成する形態も一実施の形態として考えられる。
プログラム群４９は、ＣＰＵ４０、ＯＳ４７により実行される。
上記各実施の形態では、通信ボード４４の機能を使用して、通信回線を経由して通信する。
【００２５】
すべての実施の形態では、各構成要素の各動作はお互いに関連しており、各構成要素の動作は、上記に示された動作の関連を考慮しながら、一連の動作として置き換えることができる。そして、このように置き換えることにより、方法の発明の実施の形態とすることができる。
また、上記各構成要素の動作を、各構成要素の処理と置き換えることにより、プログラムの実施の形態とすることができる。
また、プログラムをプログラムを記録したコンピュータ読み取り可能な記録媒体に記憶させることで、プログラムに記録したコンピュータ読取り可能な記録媒体の実施の形態とすることができる。
【００２６】
プログラムの実施の形態及びプログラムに記録したコンピュータ読取り可能な記録媒体の実施の形態は、すべてコンピュータで動作可能なプログラムにより構成することができる。
プログラムの実施の形態およびプログラムを記録したコンピュータ読取り可能な記録媒体の実施の形態における各処理はプログラムで実行されるが、このプログラムは、記録装置に記録されていて、記録装置から中央処理装置（ＣＰＵ）に読み込まれ、中央処理装置によって、各フローチャートが実行されることになる。
また、各実施の形態のソフトウエアやプログラムは、ＲＯＭ（ＲＥＡＤ　ＯＮＬＹ　ＭＥＭＯＲＹ）に記憶されたファームウエアで実現されていても構わない。あるいは、ソフトウエアとファームウエアとハードウエアとの組み合わせで前述したプログラムの各機能を実現しても構わない。
【００２７】
【発明の効果】
以上のように、この発明によればＯＡＭセルなどで加入者収容局にとって共通情報を基地局から無線特性を利用してマルチキャストするように構成することにより、基地局のサービスエリア内の加入者収容局が増えても、下り占有スロットは従来の１台分だけで済み、無線回線の使用効率を大幅に改善できる。
【００２８】
また、障害通知の伝達時間が均一化する。
【００２９】
また、加入者収容局３側のアプリケーションプログラムのバージョンアップの全加入者収容局へのダウンロード効率化により、保守性が向上する。
【００３０】
また、無線帯域を効率良く使用可能となり、かつ個別に送信していた時よりも加入者局間での伝達遅延バラツキが均一かつ少なくなる。また基地局内でも個別にコピーして送信処理していた部分が無くなり、無線基地局１の内部処理が簡素化されるため、無線基地局１を小型化し、安価に構築することができるという効果がある。
【図面の簡単な説明】
【図１】実施の形態１の無線ＡＴＭシステム。
【図２】実施の形態２の無線ＡＴＭシステム。
【図３】無線基地局のコンピュータ基本構成図。
【図４】従来の無線ＡＴＭシステム。
【符号の説明】
１　無線基地局、２　ディジタル回線、３，３ａ，３ｂ，３ｃ　加入者収容局、４　マルチキャスト用ＶＣ、５　網側回線受信部、６　無線送信部、７　コピー制御部、８　加入者収容局用個別ＶＣ、３８　バス、４０　ＣＰＵ、４１　モニタ、４２　キーボード、４３　マウス、４４　通信ボード、４６　磁気ディスク装置、４７　ＯＳ、４９　プログラム群、５０　ファイル群。
【図１】
2004015609.tif 000003
【図２】
2004015609.tif 000004
【図３】
2004015609.tif 000005
【図４】
2004015609.tif 000006